(57)【特許請求の範囲】
【請求項１】
陽極箔と陰極箔との間にセパレータを介在させて巻回することにより構成され、陽極箔と陰極箔に夫々リード線を接続したコンデンサ素子に電解液を真空含浸する含浸装置であって、コンデンサ素子を配置する固定部と、電解液を貯留する収容槽と、制御手段を有する駆動装置を介して収容槽に対して相対的に進退可動とする液面調整体とを具備し、収容槽に対する液面調整体の突入により、収容槽の電解液の液面を上昇させ、上記コンデンサ素子をこの電解液中に浸漬させるようにした電解液の含浸装置。
【請求項２】
液面調整体を進退させるようにした請求項１に記載の電解液の含浸装置。
【請求項３】
収容槽を進退させるようにした請求項１に記載の電解液の含浸装置。
【請求項４】
収容槽および液面調整体の双方を進退させるようにした請求項１に記載の電解液の含浸装置。
【請求項５】
収容槽の底面部に電解液を貯留する凹部を設け、この凹部に対して液面調整体を相対的に進退させるようにした請求項１から４のいずれか１項記載の電解液の含浸装置。
【請求項６】
液面調整体の進退方向での断面積を変化させ、電解液の液面上昇速度を制御させるようにした請求項１から５のいずれか１項記載の電解液の含浸装置。
【請求項７】
前記液面調整体の先端と終端に傾斜状のテーパーを設け、浸漬初期での液面上昇速度を徐々に早くし、浸漬終期での液面上昇速度を徐々に遅くするようにした請求項６に記載の電解液の含浸装置。
【請求項８】
収容槽に調整槽を設け、電解液の液面上昇がコンデンサ素子の上面部を越えないように余剰の電解液を調整槽にオーバーフローさせるようにした請求項１から７のいずれか１項記載の電解液の含浸装置。
【請求項９】
前記請求項１〜８記載の含浸装置を用いて、コンデンサ素子を真空ボックス内に設けられた固定部に配置する工程と、前記真空ボックス内を真空にする工程と、駆動装置により収容槽に貯留された電解液に対し液面調整体を相対的に突入させる工程と、前記液面調整体の突入により液面上昇した前記電解液中に前記コンデンサ素子を浸漬させる工程と、前記真空ボックス内を大気圧にする工程と、前記液面調整体を収容槽から取り出す工程を順次行う電解液の含浸方法。
【発明の詳細な説明】
【技術分野】
【０００１】
本発明は、各種電子機器や車両用回路に使用されるアルミ電解コンデンサにおけるコンデンサ素子への電解液の含浸装置とその含浸方法に関するものである。
【背景技術】
【０００２】
図９は従来のアルミ電解コンデンサにおけるコンデンサ素子に電解液を真空含浸させる含浸装置の概略図であり、陽極箔と陰極箔との間にセパレータを介在させて巻回することにより構成され、陽極箔と陰極箔に夫々リード線を接続したコンデンサ素子１４を、真空槽２１に設けた固定部１５に配置し、真空槽２１内を真空ポンプ２０により真空にしたのち、コンデンサ素子１４に電解液１７を含浸させるものである。
【０００３】
このように構成された従来の含浸装置は、真空圧経路を開閉するバルブ１８を開き、真空槽２１内を真空ポンプ２０により減圧し、所定の真空圧に到達後、電解液１７を貯留した収容槽１６を駆動装置により直接上昇させコンデンサ素子１４を電解液１７に浸漬させ、所定時間その状態を保持する。続いて、大気圧経路の開閉バルブ１９を開放し大気圧へ戻し、収容槽１６を下降させて、コンデンサ素子１４を取り出すという含浸装置であった（特許文献１）。
【特許文献１】特開２００３−２１７９９１号公報
【発明の開示】
【発明が解決しようとする課題】
【０００４】
しかし、上記従来の含浸装置では、収容槽１６を上下させる駆動系のばらつきを直接受けるため、コンデンサ素子１４に対する浸漬時の液面位置がばらつき、液面位置が高いとコンデンサ素子１４に接続されたリード線のアルミ丸棒部に電解液１７が付着する、また、液面位置が低いと含浸性を損なうという課題があった。
【０００５】
本発明はこのような従来の課題を解決し、駆動系のばらつきを受けにくくし、電解液の液面位置を精度よくコントロールし、含浸性を向上させることができる含浸装置および含浸方法を提供することを目的とするものである。
【課題を解決するための手段】
【０００６】
上記課題を解決するために本発明は、コンデンサ素子を配置する固定部と、電解液を貯留する収容槽と、制御手段を有する駆動装置と、駆動装置を介して収容槽に対して相対的に進退可動とする液面調整体とを具備し、収容槽に対する液面調整体の突入により、収容槽の電解液の液面を上昇させ、上記コンデンサ素子をこの電解液中に浸漬させるようにした電解液の含浸装置とするものである。
【０００７】
また、前記含浸装置を用いて真空含浸する方法は、コンデンサ素子を真空ボックス内に設けられた固定部に配置する工程と、真空ボックス内を真空にする工程と、駆動装置により収容槽に貯留された電解液に対し液面調整体を相対的に突入させる工程と、液面調整体の突入により液面上昇した電解液中にコンデンサ素子を浸漬させる工程と、真空ボックス内を大気圧にする工程と、前記液面調整体を収容槽から取り出す工程を順次行うものである。
【発明の効果】
【０００８】
この含浸装置の各構成よると、電解液に対する液面調整体の電解液への突入により電解液の液面を上昇させるので、駆動装置による液面調整体の相対的な移動距離を小さくでき、これにより、駆動系による電解液の液面位置のばらつきを受けにくく、電解液の液面位置を精度よくコントロールできるので、コンデンサ素子に接続したリード線に電解液が余分に付着することなく、コンデンサ素子の内部まで電解液を充分に含浸できるという効果が得られるものである。
【発明を実施するための最良の形態】
【０００９】
本発明の電解液の含浸装置は、コンデンサ素子を配置する固定部と、電解液を貯留する収容槽と、制御手段を有する駆動装置と、駆動装置を介して収容槽に対して相対的に進退可動とする液面調整体とを具備した電解液の含浸装置とするものである。
【００１０】
この各構成によると、収容槽に対する液面調整体の電解液突入により、収容槽の電解液の液面を上昇させ、上記コンデンサ素子をこの電解液中に浸漬させるようにしたことにより、駆動系のばらつきを受けにくくし、電解液の液面位置を精度よくコントロールでき、含浸性を向上させることができる。
【００１１】
具体的には、収容槽および液面調整体のどちらか一方の位置を固定し、もう一方を駆動装置により進退させる、または、液面調整体および収容槽の双方を駆動装置により進退させることで、前記液面調整体を収容槽に貯留された電解液に突入させるものである。
【００１２】
収容槽の底面部に電解液を貯留するようした凹部を構成し、液面調整体をこの凹部に対して相対的に進退させるようにすれば、上記凹部に貯留した電解液のみを液面上昇に用いることができ、余分な電解液を使うことなくコンデンサ素子への電解液の含浸ができる。
【００１３】
さらに、液面調整体の進退方向での断面積を変化させれば、電解液の液面上昇速度を制御できる。
【００１４】
具体的に、液面調整体の先端と終端に傾斜状のテーパーを設ければ、浸漬初期での液面上昇速度を徐々に早くし、浸漬終期での液面上昇速度を徐々に遅くすることでき、コンデンサ素子への電解液の含浸ばらつきを抑え、より精度の高い液面位置コントロールができる。
【００１５】
またさらに、電解液の液面上昇がコンデンサ素子の上面部を越える余剰の電解液をオーバーフローさせ、調整槽に溜めるように収容槽を構成すれば、コンデンサ素子に接続したリード線に電解液が余分に付着することなく、コンデンサ素子の上面部まで浸漬させることにより、含浸性を向上させることができる。
【００１６】
前記請求項１〜８記載の含浸装置を用いて電解液を含浸する方法は、コンデンサ素子を真空ボックス内に設けられた固定部に配置する工程と、前記真空ボックス内を真空にする工程と、駆動装置により収容槽に貯留された電解液に液面調整体を相対的に突入させる工程と、前記液面調整体の突入により液面上昇した前記電解液中に前記コンデンサ素子を浸漬させる工程と、前記真空ボックス内を大気圧にする工程と、前記液面調整体を収容槽から取り出す工程を順次行うようにするものである。
【００１７】
次に具体的な実施の形態について説明をするが、本発明はこれらの実施の形態に限定されるものではない。
【００１８】
（実施例１）
図１（ａ）〜（ｃ）において電解液の含浸装置は、被含浸体となるコンデンサ素子１を固定部４に配置し、電解液２が貯留された収容槽３に対して液面調整体５を駆動措置により進退させ、収容槽３の電解液２の液面がコンデンサ素子１の上面部まで上昇するようにしてある。
【００１９】
上記収容槽３と液面調整体５は真空ボックス８の内部に配置され、この真空ボックス８には、真空ボックス８内を真空圧にする真空ポンプ６に接続された真空バルブ７と、前記真空ボックス８内を大気圧に戻すリークバルブ９とが設けられている。
【００２０】
前記液面調整体５は収容槽３に対して駆動装置により進退するようなっており、前記駆動装置とこの駆動装置を制御する制御手段は上記真空ボックス８の外に設けられている。
【００２１】
具体的には、図２に示すように、収容槽３の位置を固定し、液面調整体５を駆動装置により進退させる方法、または、図３に示すように、液面調整体５の位置を固定し、収容槽３を駆動装置により進退させる方法、あるいは、図４に示すように、収容槽３および液面調整体５の双方を駆動装置により進退させる方法のいずれかにより、収容槽３に対する液面調整体５の突入により、収容槽３の電解液２の液面を上昇させるものである。
【００２２】
前記電解液２はエチレングリコールやγ−ブチロラクトン等の有機溶媒と、マレイン酸、安息香酸、フタル酸等の有機カルボン酸やホウ酸等の無機酸からなる電解質とから構成されており、粘度が４〜１００ｍＰａ・ｓと比較的高いものである。
【００２３】
前記含浸装置においてコンデンサ素子１に電解液２を含浸させるには、まず、図１（ａ）に示すように、コンデンサ素子１の上面部の位置を揃え収容槽３に貯留された電解液２の液面と平行になるように、コンデンサ素子１を真空ボックス８内に設けられた固定部４に配置する。
【００２４】
次に、真空バルブ７を開放し、真空ボックス８内が真空ポンプ６により所定の真空圧に達したのちに、図１（ｂ）に示すように駆動装置による収容槽３に対する液面調整体５の突入により、収容槽３の電解液２の液面を固定部４に配置したコンデンサ素子１の上面部まで上昇させる、これにより、電解液２の中にコンデンサ素子１を浸漬させる。
【００２５】
前記コンデンサ素子１の電解液２中での所定の時間浸漬により、コンデンサ素子１に電解液２を含浸させた後、真空ボックス８内をリークバルブ９により大気圧に戻す。このとき、コンデンサ素子１の内圧力と真空ボックス８内の圧力との差によりコンデンサ素子１への電解液２の含浸が促進される。
【００２６】
そして、図１（ｃ）に示すように収容槽３に対する液面調整体５の取出しにより、収容槽３の電解液２の液面を下降させ、電解液２を含浸させたコンデンサ素子１を得ることができる。
【００２７】
前記電解液２に対する液面調整体５の電解液２への突入により、電解液２の液面を上昇させるので、電解液２の液面位置は駆動装置の振動や移動ばらつきの影響を受けにくく、また、電解液２の粘度が比較的高いことから、容易に液面位置のコントロールをすることができる。
【００２８】
したがって、図５に示すように、コンデンサ素子１に接続されたリード線のアルミ丸棒部の下部で電解液２の液面を停止することができ、このコンデンサ素子１の上面部からも電解液２が含浸されるので、より均一な含浸を行うことができる。
【００２９】
なお、前記コンデンサ素子１に電解液２を含浸させる工程を２〜３回繰り返すことにより、特にコンデンサ素子１の高さが１０ｍｍ以上のものについては、より均一な含浸を行うことができる。
【００３０】
収容槽３の電解液２の液面がコンデンサ素子１の底面部に達する浸漬初期において、液面調整体５の突入速度を調整し、液面上昇をコントロールすることで、固定部４に配置した複数のコンデンサ素子１が同時に底面部から浸漬され、含浸開始時期のばらつきが抑えられる。
【００３１】
同様に、浸漬時および含浸時において、コンデンサ素子１の上面部に位置する電解液２がコンデンサ素子１の内部に侵入することで、電解液２の液面下がるため、液面調整体５の突入を調整し、液面位置を保持することが含浸を促進するために好ましい。
【００３２】
さらに、収容槽３の内壁に凹凸を設け、コンデンサ素子１と電解液２の接触により液面に発生する波を収容槽３の内壁に達することで打ち消すようにすることが好ましい。
【００３３】
電解液２の液温による流動性が変化し、コンデンサ素子１に対する含浸性が変化する場合は、収容槽３に温度調節装置を設け、電解液２の液温を調節し、含浸性をコントロールすることが好ましい。
【００３４】
さらにまた、収容槽３に貯留した電解液２を予備タンク（図示せず）からの補充により所定の液量に保つようにすれば、所定形状のコンデンサ素子１の含浸を駆動装置の所定設定で行えるため、連続的な含浸作業が可能になる。
【００３５】
固定部４に配置したコンデンサ素子１の上面部に到達した電解液２を検知する液面センサーを設け、検知信号を制御手段にフィードバックさせることで、電解液２の液面がコンデンサ素子１の上面部を超えないように駆動装置を制御することも可能である。
【００３６】
電解液２に浸漬したコンデンサ素子１の含浸を促進するために真空ボックス９内を大気圧に戻したが、加圧ポンプを用いて大気圧以上にすることでさらに含浸を促進することも可能である。
【００３７】
（実施例２）
図６に示すように、収容槽１０の底面部に電解液を貯留するにした凹部を構成し、この収容槽１０の凹部に対して液面調整体５を相対的に進退させるようにしたものである。
【００３８】
なお、実施例２は収容槽１０の構成が実施例１と異なるのみで、同作用を発揮する他の構成については実施例１の説明を援用する。
【００３９】
上記構成において、収容槽１０の凹部形状を液面調整体５の外形に合わせ、固定部４の位置を調整することで、収容槽１０に貯留する電解液２が少なくても十分な含浸が可能になる。
【００４０】
特に上記収容槽１０の底面部をこの収容槽１０の凹部に貯留した電解液２の液面と平行にすることで、電解液２の使用を最小限に抑えることが可能となる。
【００４１】
この場合、上昇させる電解液２の液面が乱れないように、液面調整体５の突入および、速度収容槽１０の凹部と液面調整体５の間に十分な隙間を開けるなど収容槽１０の凹部および液面調整体５の形状については適宜調整するものとする。
【００４２】
（実施例３）
先端と終端に傾斜状のテーパーを設けた液面調整体１１を用い、図７に示す構成にしたものである。なお、実施例３は液面調整体１１の構成が実施例１と異なるのみで、同作用を発揮する他の構成については実施例１の説明を援用する。
【００４３】
液面調整体１１の進退方向の断面積を変化させることにより、電解液の液面上昇速度を制御させるものである。
【００４４】
上記構成において、液面調整体１１の先端および終端が細いことにより、含浸の初期および終期において、収容槽３の電解液２の液面上昇が遅くなることで、含浸開始時期のばらつきを低減し、かつ含浸終期での液面コントロールの精度が向上することで含浸性を向上することができる。
【００４５】
（実施例４）
図８に示すように、収容槽１２にコンデンサ素子１の上面部を越えないように上昇した余剰の電解液２を調整槽１３にオーバーフローさせる構成にしたものである。なお、実施例４は収容槽１２に調整槽１３を設けたことが実施例１と異なるのみで、同作用を発揮する他の構成については実施例１の説明を援用する。
【００４６】
また、この調整槽１３は予備タンク（図示しない）に繋がっており、調整槽１３に溜められる電解液２は液面調整体５が収容槽１２から取り出された後に、予備タンクより収容槽１２に補充されるものとする。
【００４７】
上記構成において、液面調整体５の収容槽１２への突入による上昇する電解液２の液面は、コンデンサ素子１の上面部までしか上昇しないため液面コントロールの精度が向上する。
【００４８】
（実施例５）
エッチング処理により粗面化した後に陽極酸化処理により誘電体酸化皮膜を形成したアルミニウム箔からなる陽極箔と、アルミニウム箔をエッチング処理した陰極箔を用い、夫々の陽陰極箔にリード線を接続し、前記陽極箔と陰極箔とをその間にセパレータ紙を介在させて巻回することにより巻き径１０ｍｍ×高さ２０ｍｍのコンデンサ素子を得た。
【００４９】
次に、前記実施例１の図１（ａ）〜（ｃ）に示した含浸装置を用いて、その固定部４に前記コンデンサ素子１を２０個配置し、また、収容槽３にエチレングリコール８０部、アジピン酸アンモニウム１０部、安息香酸６部、リン酸アンモニウム１部、水３部からなる粘度２８ｍＰａ・ｓの電解液２を所定量貯留した。
【００５０】
次に、真空バルブ７を開放して、真空ボックス８内を真空ポンプ６より所定の真空圧にした。続いて、液面調整体５を収容槽３に対する突入により、収容槽３の電解液２の液面をコンデンサ素子１の上面部まで上昇させて、電解液２の中にコンデンサ素子１を浸漬させた状態で所定時間保持した。
【００５１】
次に、真空ボックス８内をリークバルブ９により大気圧に戻した後に、液面調整体５を収容槽３から取り出し、電解液２が含浸されたコンデンサ素子１を得た。
【００５２】
このコンデンサ素子１を通常の方法で金属ケース内に挿入し、その開放端を封口ゴムで密封してアルミ電解コンデンサを得た。
【００５３】
（実施例６）
電解液の含浸する工程を２回繰り返し行ったものである。なお、実施例６は電解液の含浸する工程を２回繰り返し行ったことが実施例５と異なるのみで、同作用を発揮する他の構成については実施例５の説明を援用する。
【００５４】
（比較例）
前記実施例５のコンデンサ素子及び電解液を用いて、前記従来の含浸装置でコンデンサ素子に電解液を含浸した以外は、前記実施例５と同様にしてアルミ電解コンデンサを得た。
【００５５】
前記実施例５及び６と比較例のアルミ電解コンデンサについて、１０５℃で寿命試験を行った。その結果を（表１）に示す。
【００５６】
【表１】
0004552826.tif 000002
【００５７】
（表１）から明らかなように、実施例５及び６のアルミ電解コンデンサは１０５℃の寿命試験を行っても、液漏れやパンクするといった不具合を発生することはなかった。
【００５８】
このように、本発明の電解液の含浸装置及びその含浸方法により、コンデンサ素子に接続したリード線に電解液が余分に付着することがなく、コンデンサ素子の内部まで電解液を充分に含浸することができるので、アルミ電解コンデンサの製品寿命を向上させることができる。
【００５９】
なお、コンデンサ素子の高さが２０ｍｍ以上のもの、また、高粘性の電解液や高密度セパレータを用いたものについては、前記含浸工程を２回〜４回繰り返し行うことにより、コンデンサ素子に電解液を充分に含浸させることができる。
【産業上の利用可能性】
【００６０】
本発明による電解液の含浸装置および含浸方法は、電解液に対する液面調整体の電解液への突入により電解液の液面を上昇させるので、駆動装置による液面調整体の相対的な移動距離を小さくでき、これにより、駆動系による電解液の液面位置のばらつきを受けにくく、電解液の液面位置を精度よくコントロールできるので、コンデンサ素子に接続したリード線に電解液が余分に付着することなく、コンデンサ素子の内部まで電解液を充分に含浸できるという効果を有し、各種電子部品回路や車両用回路に用いることができるアルミ電解コンデンサの電解液の含浸装置および含浸方法として提供することができる。
【図面の簡単な説明】
【００６１】
【図１】（ａ）は本発明の実施例１による含浸装置及びその工程概略図、（ｂ）は同含浸工程概略図、（ｃ）は同含浸工程概略図
【図２】同実施例１による液面調整体を駆動装置により進退させる含浸装置概略図
【図３】同実施例１による収容槽を駆動装置により進退させる含浸装置概略図
【図４】同実施例１による液面調整体および収容槽の双方を駆動装置により進退させる含浸装置概略図
【図５】同実施例１によるコンデンサ素子と電解液の液面を表す概略図
【図６】本発明の実施例２による含浸装置概略図
【図７】本発明の実施例３による含浸装置概略図
【図８】本発明の実施例４による含浸装置概略図
【図９】従来の含浸装置概略図
【符号の説明】
【００６２】
１    コンデンサ素子
２    電解液
３，１０，１２    収容槽
４    固定部
５，１１    液面調整体
６    真空ポンプ
８    真空ボックス
１３    調整槽
【図１】
0004552826.tif 000003
【図２】
0004552826.tif 000004
【図３】
0004552826.tif 000005
【図４】
0004552826.tif 000006
【図５】
0004552826.tif 000007
【図６】
0004552826.tif 000008
【図７】
0004552826.tif 000009
【図８】
0004552826.tif 000010
【図９】
0004552826.tif 000011